(57)【要約】【課題】  シュリンクフィルムの分断時に被包装物の包装フィルムが破れない包装体を提供する。【解決手段】  本発明の包装体１０は、台紙２と、接着部４を介して前記台紙２に接着され且つ軸周り方向に熱収縮可能な筒状のシュリンクフィルム３と、前記シュリンクフィルム３の熱収縮によってそのフィルム内に保持された被包装物９と、を有し、前記被包装物９が、物品９１と前記物品９１を包んだ包装フィルム９２とを有し、前記包装フィルム９２が、一方側に開口を有する筒状であり、前記包装フィルム９２の開口が前記シュリンクフィルム３の内面にて塞がれた状態で、前記被包装物９が前記シュリンクフィルム３内に保持されており、前記シュリンクフィルム３には、軸方向に延びるミシン目線５１が形成されている。【選択図】  図３
2015030511.tif 000002
【特許請求の範囲】
【請求項１】
台紙と、接着部を介して前記台紙に接着され且つ軸周り方向に熱収縮可能な筒状のシュリンクフィルムと、前記シュリンクフィルムの熱収縮によってそのフィルム内に保持された被包装物と、を有し、
前記被包装物が、物品と前記物品を包んだ包装フィルムとを有し、前記包装フィルムが、一方側に開口を有する又は一方側及び他方側にそれぞれ開口を有する筒状であり、前記包装フィルムの開口が前記シュリンクフィルムの内面にて塞がれた状態で、前記被包装物が前記シュリンクフィルム内に保持されている、包装体。
【請求項２】
前記シュリンクフィルムには、軸方向に延びる分断手段が設けられている、請求項１に記載の包装体。
【請求項３】
前記包装フィルムが、熱収縮性を有するフィルムから形成されている、請求項１または２に記載の包装体。
【請求項４】
前記シュリンクフィルム及び前記包装フィルムが、それぞれ一軸延伸フィルムから形成されており、前記包装フィルムの主延伸方向が前記シュリンクフィルムの主延伸方向に対して略直交状となるように、前記被包装物が前記シュリンクフィルム内に保持されている、請求項１乃至３のいずれか一項に記載の包装体。
【発明の詳細な説明】
【技術分野】
【０００１】
本発明は、台紙にシュリンクフィルムが接着されたシュリンクフィルム付き台紙に、被包装物が保持された包装体に関する。
【背景技術】
【０００２】
従来、筒状のシュリンクフィルムを介して台紙に被包装物が取り付けられた包装体が知られている。特に、特許文献１の図１８のように、台紙の表面に接着剤を用いて接着されたシュリンクフィルムを有するシュリンクフィルム付き台紙は、簡易な構造であるので、それを用いれば比較的安価な包装体が得られる。
【０００３】
このようなシュリンクフィルム付き台紙を用いた包装体においては、被包装物を取り出すため、シュリンクフィルムに一対の切断用ミシン目線が形成されている。かかる包装体は、一対の切断用ミシン目線の間のシュリンクフィルムの端部（摘み部）を摘み、それを外側に引き出し、ミシン目線を利用してシュリンクフィルムを分断することにより、被包装物を取り出すことができる。
ところで、前記被包装物として、包装フィルムで包装された物品がある。例えば、物品である電池は、通常、複数個を纏めて包装され（所謂、電池パック）、販売に供されている。かかる電池パックは、複数個の電池が熱収縮性を有する筒状の包装フィルムでシュリンク包装された態様からなる。
このような物品が筒状のフィルムで包装された被包装物を、前記シュリンクフィルム付き台紙のシュリンクフィルム内に保持することにより、包装体を構成できる。
しかしながら、かかる包装体から被包装物を取り出すべく、シュリンクフィルムを分断する際、被包装物の筒状の包装フィルムも一緒に破けることがある。特に、前記電池パックのような被包装物は、複数個の電池の一部を使い、残りを包装フィルムにて包装したままで保管しておくことが好ましい。
このため、シュリンクフィルムと同時に包装フィルムが破けないような、包装体が求められる。
【先行技術文献】
【特許文献】
【０００４】
【特許文献１】実開平７−４０５３０号公報
【発明の概要】
【発明が解決しようとする課題】
【０００５】
本発明の目的は、シュリンクフィルムの分断時に被包装物の包装フィルムが破れないように工夫した包装体を提供することである。
【課題を解決するための手段】
【０００６】
本発明の包装体は、台紙と、接着部を介して前記台紙に接着され且つ軸周り方向に熱収縮可能な筒状のシュリンクフィルムと、前記シュリンクフィルムの熱収縮によってそのフィルム内に保持された被包装物と、を有し、前記被包装物が、物品と前記物品を包んだ包装フィルムとを有し、前記包装フィルムが、一方側に開口を有する又は一方側及びそれとは反対の他方側にそれぞれ開口を有する筒状であり、前記包装フィルムの開口が前記シュリンクフィルムの内面にて塞がれた状態で、前記被包装物が前記シュリンクフィルム内に保持されている。
【０００７】
本発明の好ましい包装体は、前記シュリンクフィルムには、軸方向に延びる分断手段が設けられている。
本発明の好ましい包装体は、前記包装フィルムが、熱収縮性を有するフィルムから形成されている。
本発明の好ましい包装体は、前記シュリンクフィルム及び前記包装フィルムが、それぞれ一軸延伸フィルムから形成されており、前記包装フィルムの主延伸方向が前記シュリンクフィルムの主延伸方向に対して略直交状となるように、前記被包装物が前記シュリンクフィルム内に保持されている。
【発明の効果】
【０００８】
本発明の包装体は、開封時に、被包装物の包装フィルムを破くことなく、被包装物を取り出すことができる。特に、シュリンクフィルムに分断手段が設けられている包装体は、シュリンクフィルムを容易に分断でき、被包装物を容易に取り出すことができる。
【図面の簡単な説明】
【０００９】
【図１】本発明の第１実施形態に係る包装体の正面図。
【図２】同包装体の左側面図。
【図３】図１のＩＩＩ−ＩＩＩ線で切断した断面図。
【図４】第１実施形態のシュリンクフィルム付き台紙の正面図。
【図５】図４のＶ−Ｖ線で切断した断面図。
【図６】同シュリンクフィルム付き台紙について、台紙を不図示とした背面図。
【図７】（ａ）は、物品と包装フィルムからなる被包装物の正面図、（ｂ）は、その被包装物の平面図、（ｃ）は、物品を包装フィルムで包む過程の参考斜視図。
【図８】第１実施形態に係る包装体の製造過程の参考左側面図。
【図９】本発明の第２実施形態に係る包装体の正面図。
【図１０】同包装体の左側面図。
【図１１】図９のＸＩ−ＸＩ線で切断した断面図。
【図１２】第２実施形態のシュリンクフィルム付き台紙の正面図。
【図１３】図１２のＸＩＩＩ−ＸＩＩＩ線で切断した断面図。
【図１４】同シュリンクフィルム付き台紙について、シュリンクフィルムを不図示とした正面図。
【図１５】同シュリンクフィルム付き台紙について、台紙を不図示とした背面図。
【図１６】同包装体から取り外した後の被包装物及び被包装物が取り外された後の台紙の背面図。
【図１７】第３実施形態に係る包装体の正面図。
【図１８】図１７のＸＶＩＩＩ−ＸＶＩＩＩ線で切断した断面図。
【図１９】第３実施形態のシュリンクフィルム付き台紙の正面図。
【図２０】同包装体の製造過程を示す参考正面図。
【発明を実施するための形態】
【００１０】
本発明の好ましい実施形態について、図面を参照しつつ具体的に説明する。なお、用語の始めに、「第１」、「第２」などを付す場合があるが、これらは、用語を区別するために付加されたものであり、その順序や優劣などを意味しない。台紙の「表面」は、台紙を図１に示す正面（台紙の面を直視する方向）から見たときに、見る者に近い側にある面を指し、「裏面」は、その反対側の面を指す。平面視形状は、台紙の表面又は裏面に対して鉛直方向から見たときの形状である。方向性を示す用語として、上、下、左、右を使用するが、これらは、台紙の任意の一辺を水平面上に置いて包装体を立てた状態を仮想して、その台紙の表面に対して鉛直方向から見たときの方向を指す。前記台紙の任意の一辺を水平面上に置いて台紙を立てた状態は、例えば、図１に示すように、台紙の下縁を水平面上に置いて包装体を立てた状態である。また、「ＰＰＰ〜ＱＱＱ」という記載は、「ＰＰＰ以上ＱＱＱ以下」を意味する。さらに、本発明において、台紙という用語は、それが紙製であるという限定的な意味を有するわけではない。
なお、各図において、ミシン目線と破線（隠れ線）とを区別できるようにするため、ミシン目線を一点鎖線で示している。
各図の具体的な寸法及び縮尺比は、実際のものとは異なっていることに留意されたい。
【００１１】
［第１実施形態］
（包装体の概要）
図１乃至図３において、本発明の包装体１０は、シュリンクフィルム付き台紙１と、そのシュリンクフィルム付き台紙１に取り付けられた被包装物９と、を有する。
前記シュリンクフィルム付き台紙１は、シート材からなる台紙２と、筒状のシュリンクフィルム３と、を有する。前記筒状のシュリンクフィルム３は、その軸周り方向に熱収縮可能である。前記シュリンクフィルム３は、シュリンクフィルム３の軸方向に延びる所定幅の接着部４を介して台紙２の表面に接着されている。筒状のシュリンクフィルム３は、軸方向を左右方向と平行にして台紙２に接着されている。従って、本実施形態においては、左右方向とシュリンクフィルム３の軸方向とは、同じ方向（平行）である。
前記シュリンクフィルム３には、軸方向に延びる分断手段が設けられている。分断手段としては、例えば、ミシン目線が挙げられる。図示例では、シュリンクフィルム３の面内に、分断手段としてミシン目線５１，５２が軸方向にそれぞれ形成されている。
前記筒状のシュリンクフィルム３の内側に被包装物９を挿入し、シュリンクフィルム３を熱収縮させることにより、被包装物９がシュリンクフィルム３内に保持される。
【００１２】
（シュリンクフィルム付き台紙）
図４及び図５に示すように、シュリンクフィルム付き台紙１においては、保管又は運搬の便のため、通常、台紙２に接着された筒状のシュリンクフィルム３は扁平状に折り畳まれている。
台紙２を形成するシート材は、特に限定されず、従来公知のものを用いることができる。シート材としては、例えば、厚紙（薄い合成樹脂製フィルムが積層された厚紙を含む）、合成樹脂製シート、金属蒸着層を有する合成樹脂製シート、発泡樹脂シート、及びこれらの積層シートなどが挙げられる。比較的安価であることから、前記厚紙又は合成樹脂製シートを用いることが好ましい。前記合成樹脂製シートとしては、例えば、ポリオレフィン系、ポリエステル系、ポリスチレン系などのシートが挙げられ、適度な剛性を有することから、ポリエステル系シートが好ましい。また、台紙２は、複数枚のシート材を剥離可能に積層してなる積層シート、１枚のシート材を複数回折り返して剥離可能に重ね合わせた積層シートなどであってもよい。このような積層シートを用いることにより、表示面積が大きい台紙２を構成できる。
【００１３】
シート材の厚みは、特に限定されないが、好ましくは０．２ｍｍ〜１．５ｍｍ程度である。厚紙の場合には、０．５ｍｍ〜１．５ｍｍ程度であり、合成樹脂製シートの場合には、０．２ｍｍ〜０．６ｍｍ程度である。また、台紙２の表面又は／及び裏面には、必要に応じて、所望のデザインが印刷などにより表示されていてもよい。
【００１４】
台紙２の平面視形状は、図示したように、上下方向の長さが左右方向の長さよりも大きい平面視略矩形状に形成されているが、これに限定されない。例えば、台紙２は、平面視略三角形状、平面視略楕円形状などに形成されていてもよい（図示せず）。なお、平面視略矩形状は、長方形、正方形、台形状、角部を円弧状にした長方形、正方形又は台形状などが挙げられる。また、台紙２に、例えば、包装体１０に自立性を付与するため、脚片等が形成されていてもよい（図示せず）。また、台紙２の上方部には、吊り下げ用の孔２９が形成されている。もっとも、前記吊り下げ用の孔２９が形成されていなくてもよい。
【００１５】
筒状のシュリンクフィルム３を構成するために用いられるフィルムは、柔軟性を有し、さらに、少なくとも一方向（一方向は、筒状に形成された際に軸周り方向となる）に熱収縮性を有するフィルムであれば特に限定されず、従来公知のフィルムを用いることができる。なお、前記熱収縮性は、所定の温度（例えば、７０℃〜１００℃）に加熱されると収縮する性質をいう。前記フィルムとして、他方向（他方向は、フィルム面内で前記一方向に直交する方向）にも若干熱収縮又は熱伸張するフィルムを用いてもよい。熱収縮性を有するフィルムは、公知の製法で製膜し延伸処理することにより得ることができる。延伸処理は、通常、７０〜１１０℃程度の温度で、一方向に２．０〜８．０倍、好ましくは３．０〜７．０倍程度で主延伸することにより行われる。さらに、フィルムの他方向（筒状に形成した際に於ける縦方向。以下同じ）にも、例えば１．５倍以下の低倍率で延伸処理を行ってもよい。得られたフィルムは、少なくとも一方向に延伸され且つその方向が主延伸方向となった一軸延伸フィルムである。
【００１６】
前記フィルムは、不透明のフィルムでもよいが、筒状のシュリンクフィルム３にデザインを表示した際、それが綺麗に見えるので、無色透明又は有色透明のフィルムを用いることが好ましい。前記フィルムは、単層でもよいし、複数の層が積層一体化された積層フィルムでもよい。前記フィルムの形成材料は、特に限定されず、例えば、ポリエチレンテレフタレート、ポリ乳酸などのポリエステル系樹脂、ポリプロピレンなどのオレフィン系樹脂、ポリスチレンなどのポリスチレン系樹脂、環状オレフィン系樹脂、塩化ビニル系樹脂などの熱可塑性樹脂から選ばれる１種、又は２種以上の混合物などを主成分として含む樹脂組成物が挙げられる。フィルムの厚みは、特に限定されないが、例えば、２０μｍ〜１００μｍである。
【００１７】
シュリンクフィルム３には、必要に応じて、所望のデザインが印刷などにより表示されていてもよい。デザインの印刷層（図示せず）は、筒状のシュリンクフィルム３の内面又は外面の何れに設けられていてもよいが、傷付き防止の観点から、シュリンクフィルム３の内面に設けることが好ましい。この場合、シュリンクフィルム３は、無色透明又は有色透明なフィルムが用いられる。
【００１８】
シュリンクフィルム３は、前記フィルムの一方向（主延伸方向）が軸周り方向となるようにそのフィルムを丸め、その一側端部３ａを他側端部３ｂに重ね合わせ、その両側端部３ａ，３ｂを溶剤又は接着剤で互いに接着することにより、筒状に形成されている。なお、前記重ね合わせて接着した部位（以下、「重合部位」という）は、筒状のシュリンクフィルム３の軸周り方向の何れに位置していてもよく、特に限定されない。好ましくは、前記重合部位は、シュリンクフィルム３に被包装物９を取り付けた際に、被包装物９の正面視におけるデザインを阻害しないような位置に配置される。
【００１９】
筒状のシュリンクフィルム３の大きさは、被包装物９に応じて適宜設定できる。被包装物９を挿入するために、筒状のシュリンクフィルム３の内周長さは、被包装物９の外周長さよりも少し大きい。筒状のシュリンクフィルム３の軸方向の長さは、被包装物９の左右方向の長さよりも大きい若しくは小さい又はそれと同じでもよい。
軸方向の長さが被包装物９よりも大きい筒状のシュリンクフィルム３を用いた場合には、それに被包装物９を挿入し加熱することにより、そのシュリンクフィルム３の一方側の開口周縁部及び他方側の開口周縁部が、被包装物９の左側の周縁部及び右側の周縁部に回り込んで密着する、又は、シュリンクフィルム３の一方側の開口周縁部が、被包装物９の左側の周縁部に回り込んで密着する、若しくは、シュリンクフィルム３の他方側の開口周縁部が、被包装物９の右側の周縁部に回り込んで密着するようになる。なお、前記軸方向は、シュリンクフィルム３を円筒形に開いたときにその円筒の全ての中心を通る線方向である。また、本明細書において、他方は、一方とは反対の側を意味する。
【００２０】
図示例では、軸方向の長さが被包装物９の左右方向の長さよりも大きいシュリンクフィルム３が用いられている。このシュリンクフィルム３は、台紙２の表面に取り付けられている。また、シュリンクフィルム３の一方側の開口縁３８ａ及び他方側の開口縁３８ｂが台紙２の左縁及び右縁から離れるように、シュリンクフィルム３が台紙２に取り付けられている。もっとも、シュリンクフィルム３の一方側の開口縁３８ａ及び他方側の開口縁３８ｂの少なくとも一方が台紙２の左縁及び右縁の少なくとも一方に一致するように又は少なくとも一方よりも外側に延出するように、シュリンクフィルム３が台紙２に取り付けられていてもよい。
【００２１】
筒状のシュリンクフィルム３は、接着部４によって台紙２に接着されている。
前記接着部４は、台紙２とシュリンクフィルム３を連結する部分であって、接着剤又は粘着剤から構成されている。接着剤又は粘着剤は、シュリンクフィルム３との接着強度が強く、被包装物９の荷重に耐えて、流通過程や陳列過程において長時間接着状態を維持できるものであれば特に限定されない。接着剤（粘着剤を含む）としては、エラストマー系接着剤、熱可塑性樹脂系接着剤、及びホットメルト接着剤等の感圧性接着剤や感熱性接着剤などがが挙げられる。特に、加熱塗工してシュリンクフィルム３を貼り合わせた後、常温に冷却されたときに強い接着強度を発現するホットメルト接着剤が好適であり、中でも湿気反応型ホットメルト接着剤がより好適である。なお、接着強度は、接着剤の種類だけでなく、接着剤の塗布面積や各種添加物等によっても調整することができ、被包装物９の重量等に応じて適宜調整できる。
【００２２】
図６は、接着部が設けられた範囲を判りやすくするため、図４及び図５のシュリンクフィルム付き台紙から台紙を省略した背面図であり、この背面図において、接着部が設けられた範囲に、便宜上、無数のドットで表している。
図６にも示すように、接着部４は、台紙２の表面に、左右方向に延びる所定幅の帯状に設けられている。接着部４は、例えば、台紙２の左右方向略中央部に設けられ、接着部４の一方縁及び他方縁は、台紙２の左縁及び右縁から離れている。なお、前記左右方向略中央部は、台紙２の左右方向中心点という厳格な意味ではなく、概ね中間という意味である。また、接着部４は、シュリンクフィルム３の一方側の開口縁３８ａから他方側の開口縁３８ｂにまで形成されている。ただし、接着部４の一方縁及び他方縁が、シュリンクフィルム３の一方側の開口縁３８ａ及び他方側の開口縁３８ｂから離れるように、接着部４は配置されている。もっとも、接着部４の一方縁及び他方縁の少なくとも一方が、シュリンクフィルム３の一方側の開口縁３８ａ及び他方側の開口縁３８ｂの少なくとも一方に一致するように、接着部４が配置されていてもよい。
【００２３】
なお、帯状の接着部４は、実質的に帯状に形成されていればよい。実質的に帯状の接着部４は、図６に示すように、接着剤などを１つの帯状領域にベタ状に形成される。その他、前記帯状の接着部４は、例えば、接着剤などを無数のドット状に設けて全体として帯状となるように形成される場合などを含む。前記ベタ状とは、いわゆるベタ塗り状態（隙間無く設けた状態）を意味する。
接着部４の幅（この幅は、図６では、接着部の上下方向の長さとなる）は、特に限定されない。前記幅が、余りに小さいと、シュリンクフィルム３に被包装物９を取り付けた際に、被包装物９の重さなどに耐えられず、シュリンクフィルム３が台紙２から外れるおそれがある。このため、前記接着部４の幅は、３ｍｍ以上が好ましく、５ｍｍ以上がより好ましく、７ｍｍ以上が特に好ましい。一方、接着部４の幅が余りに大きいと、扁平状に畳んだシュリンクフィルム３を円筒状に開くことが困難となる。このため、前記接着部４の幅は、１５ｍｍ以下が好ましく、１２ｍｍ以下がより好ましい。ただし、前記接着部４の幅は、直径１ｃｍ〜７ｃｍ程度の円筒状の被包装物９又は前記円筒状の被包装物９と同程度の周長を有する円筒状でない被包装物９を取り付ける場合である。このような被包装物９以外の被包装物（例えば、非常に大きな被包装物）を取り付ける場合には、接着部４の幅が前記範囲以外でも、支障を来さない場合もある。
【００２４】
筒状のシュリンクフィルム３には、軸方向（左右方向）に延びるミシン目線５１，５２が少なくとも１本ずつ設けられている。特に図示しないが、ミシン目線５１及びミシン目線５２は、それぞれ二重ミシン目線（二重ミシン目線は、近接して設けられた２本のミシン目線からなる）で構成されていてもよい。
このミシン目線５１，５２は、シュリンクフィルム３の一方側の開口縁３８ａから他方側の開口縁３８ｂにまで形成されている。一対のミシン目線５１，５２の間隔は、特に限定されないが、例えば、３ｍｍ〜２０ｍｍであり、好ましくは、５ｍｍ〜１０ｍｍである。
【００２５】
ミシン目線５１，５２は、シュリンクフィルム３の厚み方向に貫通する複数の貫通孔の集合である。それらの貫通孔の間には、非貫通部が存在する。前記貫通孔の平面視形状は、細長い直線状、針穴状（円形孔又は楕円形孔）などが挙げられる。前記貫通孔の長さ及び隣接する貫通孔の間隔は、特に限定されない。ミシン目線５１，５２に沿ってシュリンクフィルム３を容易に分断できることから、１つの貫通孔の長さ（この長さは、図示例の場合、左右方向の長さである）は、０．１ｍｍ〜２．５ｍｍが好ましく、隣接する貫通孔の間の長さ（非貫通部の左右方向の長さに等しい）は、０．１ｍｍ〜４．０ｍｍが好ましい。
また、シュリンクフィルム３の一方側の開口縁３８ａには、摘み部３９が形成されている。この摘み部３９は、一対のミシン目線５１，５２の間におけるシュリンクフィルム３の一方側の開口縁３８ａを外側に延出させることにより、形成されている。
【００２６】
筒状のシュリンクフィルム３に保持された被包装物９は、物品９１と、その物品９１を包む包装フィルム９２と、から構成されている。
具体的には、図７（ａ）及び（ｂ）に示すように、被包装物９は、複数の物品９１と、その複数の物品９１を結束する１つの包装フィルム９２と、からなる。物品９１は、特に限定されない。物品９１としては、例えば、化粧料などが収納されたスプレー式容器、キャップ付き容器、ボトル型容器などの各種容器、電池などが挙げられる。前記物品の形状は、特に限定されないが、例えば、円筒状、楕円筒状、四角筒状などの多角筒状、円錐台状、楕円錐台状などが挙げられる。図示例では、物品９１として乾電池を例示している。また、包装フィルム９２で包まれる物品９１は、複数であることが好ましいが、１つの包装フィルムにて１つの物品が包まれた被包装物９を用いてもよい。
【００２７】
包装フィルム９２は、一方側及び他方側にそれぞれ開口を有する筒状であり、その筒状の包装フィルム９２の内側に複数の物品９１が保持されている。なお、包装フィルム９２は、少なくとも一方側に開口を有していればよく、例えば、一方側にのみ開口を有する筒状であってもよい（図示せず）。包装フィルム９２を構成するフィルムの性質は、特に限定されず、熱収縮性を有するフィルム、自己伸縮性を有するフィルム、熱収縮性及び自己伸縮性を有さないフィルムの何れでもよい。自己伸縮性を有するフィルムは、拡張力を加えると伸び、その力を解除すると概ね元の大きさに戻るフィルムである。このようなフィルムは、ストレッチフィルムとも呼ばれる。熱収縮性及び自己伸縮性を有さないフィルムは、二軸延伸フィルムなどが挙げられる。
包装フィルム９２としては、熱収縮性を有するフィルム（熱収縮性及び自己伸縮性を有するフィルムを含む）を用いることが好ましい。熱収縮性を有するフィルムは、シュリンクフィルム３と同様に、例えば、少なくとも一方向に延伸され且つその方向が主延伸方向となった一軸延伸フィルムを用いることができる。
【００２８】
包装フィルム９２が熱収縮性又は／及び自己伸縮性を有するフィルムである場合、その筒状の包装フィルム９２は、軸周り方向に熱収縮可能（すなわち、軸周り方向が主延伸方向となる）又は／及び自己伸縮可能である。熱収縮性又は／及び自己伸縮性を有する包装フィルム９２は、複数の物品９１に外嵌する、或いは、複数の物品９１の外側に巻き付けることによって、複数の物品９１を纏めて包むことができる。包装フィルム９２が熱収縮性及び自己伸縮性を有さないフィルムである場合、複数の物品９１の外側に巻き付けることによって、複数の物品９１を纏めて包むことができる。熱収縮性を有する包装フィルム９２は、例えば、図７（ｃ）に示すように、複数の物品９１の外側に嵌めた後、又は、複数の物品９１の周囲に巻き付けた後（巻き付ける場合は図示せず）、加熱することにより、図９（ａ）及び（ｂ）に示すような被包装物９が得られる。
かかる被包装物９においては、物品９１の一方側及び他方側に包装フィルム９２の一方側の開口縁９２ａ及び他方側の開口縁９２ｂがそれぞれ位置している。このため、物品９１の一方側及び他方側は包装フィルム９２で覆われていない。
【００２９】
前記被包装物９の包装フィルム９２の２つの開口（開口縁９２ａ，９２ｂにて囲われる範囲）がシュリンクフィルム３の内面にて塞がれるように、被包装物９がシュリンクフィルム３に保持されている。換言すると、筒状の包装フィルム９２の開口縁９２ａ，９２ｂが筒状のシュリンクフィルム３の一方側の開口（開口縁３８ａにて囲われる範囲）及び他方側の開口（開口縁３８ｂにて囲われる範囲）から視認できない配置にて、被包装物９がシュリンクフィルム３に保持されている。図示例では、筒状の包装フィルム９２の軸方向が筒状のシュリンクフィルム３の軸方向に略直交状となるように、被包装物９がシュリンクフィルム３内に保持されている。前記包装フィルム９２の軸方向が筒状のシュリンクフィルム３の軸方向に略直交しているため、包装フィルム９２の軸周り方向（包装フィルム９２の主延伸方向）もシュリンクフィルム３の軸周り方向（シュリンクフィルム３の主延伸方向）に略直交状となる。
本明細書において、略直交状は、好ましくは９０度±３０度の範囲である。
【００３０】
（包装体の製法及び開封）
上記シュリンクフィルム付き台紙１のシュリンクフィルム３に被包装物９を保持させることにより、本発明の包装体１０が得られる。具体的には、扁平状に畳まれたシュリンクフィルム３を開き、被包装物９をシュリンクフィルム３内に挿入する（図８参照）。この際、被包装物９を、包装フィルム９２の軸方向がシュリンクフィルム３の軸方向に対して非平行（好ましくは４５度〜９０度）となるように挿入する。その後、加熱することにより、シュリンクフィルム３が縮径して被包装物９の包装フィルム９２の外面に密着し、包装フィルム９２の開口縁９２ａ，９２ｂがシュリンクフィルム３の内面にて塞がれた、図１乃至図３に示すような包装体１０を得ることができる。
【００３１】
得られた包装体１０を開封する際には、２つのミシン目線５１，５２で挟まれた縁であるシュリンクフィルム３の摘み部３９を指先で摘み、これを外側且つシュリンクフィルム３の軸方向に引き出す。すると、ミシン目線５１，５２に沿ってシュリンクフィルム３が分断され、被包装物９をシュリンクフィルム３から取り出すことができる。
仮に、シュリンクフィルム３の開口縁３８ａと包装フィルム９２の開口縁９２ａが同じ側に位置していると、シュリンクフィルム３の開口縁３８ａである摘み部３９を摘む際に誤って包装フィルム９２も同時に摘み、包装フィルム９２の一部を破くおそれがある。或いは、シュリンクフィルム３の摘み部３９を摘み、これを引き出した際、爪が包装フィルム９２の開口縁９２ａに引っ掛かり、包装フィルム９２の一部が破けるおそれがある。
【００３２】
この点、本発明の包装体１０においては、前記包装フィルム９２の開口縁９２ａがシュリンクフィルム３の内面にて塞がれるように、被包装物９がシュリンクフィルム３に保持されている。このため、包装体１０の開封時にシュリンクフィルム３を分断するときに、包装フィルム９２の開口縁９２ａを摘む又は開口縁９２ａが引っ掛かることを防止できる。このように本発明の包装体１０は、包装フィルム９２を不用意に破くことなく、シュリンクフィルム３を分断し、（包装フィルム９２で包装された状態の）被包装物９を容易に取り出すことができる。
【００３３】
［第２実施形態］
第２実施形態は、台紙に切り目が形成されている包装体に関する。
ただし、第２実施形態の説明において、上記第１実施形態と同様の構成及び効果は、（その説明を行ったものとして）その説明を省略し、用語及び符号をそのまま援用する場合がある。
【００３４】
図９乃至図１１において、第２実施形態の包装体１０も、台紙２に接着部４を介して筒状のシュリンクフィルム３が接着されたシュリンクフィルム付き台紙１と、そのシュリンクフィルム付き台紙１のシュリンクフィルム３に保持された被包装物９と、を有する。
前記シュリンクフィルム３に形成されたミシン目線５１，５２は、接着部４の両側縁又はその両側縁の外側近傍に沿って形成されている。さらに、前記台紙２には、シュリンクフィルム３の軸方向に延びる部分を有する一対の開封用切り目６１，６２が形成されている。本実施形態では、シュリンクフィルム３に摘み部は延設されていない。
具体的には、シュリンク付き台紙１は、図１２乃至図１５にも示すように、シュリンクフィルム付き台紙１においては、保管又は運搬の便のため、通常、台紙２に接着された筒状のシュリンクフィルム３は扁平状に折り畳まれている。
なお、図１４は、接着部が設けられた範囲と開封用切り目及び補助切り目の位置関係を判りやすくするため、図１２及び図１３のシュリンクフィルム付き台紙からシュリンクフィルムを省略した正面図であり、図１５は、接着部が設けられた範囲とミシン目線の位置関係を判りやすくするため、同シュリンクフィルム付き台紙から台紙を省略した背面図である。この正面図及び背面図において、接着部が設けられた範囲に、便宜上、無数のドットで表している。
【００３５】
シュリンクフィルム３に形成された一対のミシン目線５１，５２は、接着部４の両側縁又はその両側縁の外側近傍に沿って配置されている。換言すると、２つのミシン目線５１，５２の間の領域に、接着部４が設けられている。なお、前記２つのミシン目線５１，５２の間の領域は、シュリンクフィルム３の軸周り方向において２つ観念できるが、そのうちミシン目線５１，５２の間隔が短い方の領域を指す。以下、一方のミシン目線５１を「第１ミシン目線５１」といい、他方のミシン目線５２を「第２ミシン目線５２」といい、両者を併せて「ミシン目線５１，５２」という。ミシン目線５１，５２は、シュリンクフィルム３の一方側の開口縁３８ａから軸方向に延びており、好ましくは、シュリンクフィルム３の他方側の開口縁３８ｂにまで形成される。第１ミシン目線５１は、帯状の接着部４の第１側縁に沿って又はその側縁の外側近傍に沿って配置されている。第２ミシン目線５２は、帯状の接着部４の第２側縁に沿って又はその側縁の外側近傍に沿って配置されている。前記第１側縁及び第２側縁は、接着部４の縁のうち軸方向に延びる２つの縁であり、第１側縁及び第２側縁を併せて両側縁という。
第１側縁の外側近傍又は第２側縁の外側近傍は、接着部４の第１側縁の近傍又は第２側縁の近傍であって、接着部４に重ならない領域を意味する。
【００３６】
ミシン目線５１，５２を接着部４の両側縁に沿って設けることは、製造上、その位置合わせが難しいことから、好ましくは、第１ミシン目線５１は接着部４の第１側縁の外側近傍に沿って設けられ、且つ、第２ミシン目線５２は接着部４の第２側縁の外側近傍に沿って設けられる。第１ミシン目線５１及び第２ミシン目線５２が第１側縁及び第２側縁の外側近傍に設けられる場合、第１ミシン目線５１と第１側縁の間隔Ｗ１及び第２ミシン目線５２と第２側縁の間隔Ｗ２は、特に限定されず、適宜設定できる。もっとも、前記間隔Ｗ１，Ｗ２が大きすぎる（ミシン目線５１，５２が接着部４の側縁から離れすぎている）と、被包装物９を台紙２から取り外す際に、ミシン目線５１，５２においてシュリンクフィルム３を容易に分断できないおそれがある。かかる観点から、前記間隔Ｗ１，Ｗ２は、それぞれ独立して、５ｍｍ以下が好ましく、３ｍｍ以下がより好ましい。
本明細書において、「ＧＧＧの近傍」又は「ＧＧＧ近傍」とは、そのＧＧＧとの距離が、例えば、１０ｍｍ以下であること、好ましくは５ｍｍ以下であることを意味する。
【００３７】
一対の開封用切り目６１，６２は、台紙２の縁からシュリンクフィルム３の軸方向に形成されている。以下、一方の開封用切り目６１を「第１開封用切り目６１」といい、他方の開封用切り目６２を「第２開封用切り目６２」といい、両者を併せて「開封用切り目６１，６２」という。
第１開封用切り目６１は、台紙２の左縁から軸方向に延び、第２開封用切り目６２は、第１開封用切り目６１から所要間隔を開け、台紙２の左縁から軸方向に延びている。
第１開封用切り目６１及び第２開封用切り目６２は、何れも台紙２を厚み方向に分断した線である。第１開封用切り目６１及び第２開封用切り目６２の長さは、特に限定されないが、それぞれ独立して、例えば、１ｍｍ〜１０ｍｍである。なお、図示例では、第１開封用切り目６１及び第２開封用切り目６２は、その全体がそれぞれ軸方向に延びているが、一部分が軸方向に延びていればよい。
この第１開封用切り目６１と第２開封用切り目６２の間の領域又はそれらの切り目６１，６２の各延長線上の間の領域に、接着部４が設けられている。前記第１開封用切り目６１及び第２開封用切り目６２は、接着部４の両側縁若しくはその延長線又はその両側縁若しくは延長線の外側近傍に沿って形成されていることが好ましい。図示例では、第１開封用切り目６１は、接着部４の第１側縁の延長線に沿って形成され、第２開封用切り目６２は、接着部４の第２側縁の延長線に沿って形成されている。従って、前記２つの開封用切り目６１，６２の延長線の間の領域に、接着部４が存在している。
【００３８】
さらに、台紙２の面内には、第１開封用切り目６１の端部に連設された、複数の第１補助切り目６３が形成されている。同様に、第２開封用切り目６２の端部に連設された、複数の第２補助切り目６４が形成されている。複数の第１補助切り目６３は、所要間隔を開けて第１開封用切り目６１の延長線上に並んでいる。好ましくは、複数の第１補助切り目６３は、所要間隔を開けて軸方向に一列に並んでいる。複数の第２補助切り目６４は、所要間隔を開けて第２開封用切り目６２の延長線上に並んでいる。好ましくは、複数の第２補助切り目６４は、所要間隔を開けて軸方向に一列に並んでいる。第１補助切り目６３及び第２補助切り目６４は、台紙２の厚み方向に貫通するものであり、その平面視形状は特に限定されず、例えば、直線状、細長い直線状、針穴状、略Ｌ字状などが挙げられる。なお、本明細書において、平面視略Ｌ字状は、長い線（Ｌ字を構成する長い方の線）と短い線（Ｌ字を構成する短い方の線）が直角に交わった形状の他、前記長い線と短い線の成す内角が鈍角（好ましくは、９０度を越え１５０度以下）又は鋭角（好ましくは、４０度以上９０未満）となって長い線と短い線が交わった形状を含む意味である。
図示例では、第１補助切り目６３及び第２補助切り目６４は、いずれも平面視略Ｌ字状に形成されている。第１補助切り目６３と第２補助切り目６４の間の領域には、接着部４が存在する。第１補助切り目６３及び第２補助切り目６４の数は、特に限定されない。
なお、第１開封用切り目６１と複数の第１補助切り目６３を合わせたものは、１本のミシン目線とも観念できる。第２開封用切り目６２と複数の第２補助切り目６４を合わせたものも、１本のミシン目線と観念できる。
【００３９】
本実施形態のシュリンクフィルム付き台紙１のシュリンクフィルム３に被包装物９を保持させることにより、図９乃至図１１に示すような包装体１０が得られる。前記包装体１０は、シュリンクフィルム３に形成されたミシン目線５１，５２が接着部４の両側縁又はその外側近傍に沿って形成されているので、図９に示すように、包装体１０の正面から前記ミシン目線５１，５２が見えず、被包装物９の外観も良好である。
【００４０】
得られた包装体１０を開封する際には、図１６に示すように、２つの開封用切り目６１，６２で挟まれた部分である台紙２の縁部を起こし、これを外側に引き出す。すると、第１開封用切り目６１及びそれに連なる第１補助切り目６３並びに第２開封用切り目６２及びそれに連なる第２補助切り目６４に沿って台紙２が分断され、台紙２の一部分Ｃが帯状に切り取られる（切り取られる台紙２の一部分を「帯状片Ｃ」という）。第１開封用切り目６１及び第２開封用切り目６２の間には接着部４が存在するので、シュリンクフィルム３のうち２つのミシン目線５１，５２の間の領域Ａが、前記帯状片Ｃに接着されたままで引き出される。このため、シュリンクフィルム３の前記領域Ａが、ミシン目線５１，５２に略沿って分断されていく。シュリンクフィルム３の他方側の開口縁３８ｂまで分断されると、図１６に示すように、被包装物９を台紙２から完全に取り外すことができる。図１６に、被包装物９を取り外した後の台紙２を併せて示している。第１開封用切り目６１などに従って帯状片Ｃが切り取られた台紙２には、その抜き跡Ｄが生じている。前記帯状片Ｃには、接着部４と、シュリンクフィルム３の切り取られた部分である２つのミシン目線５１，５２の間の領域Ａと、が付随している。分断後、被包装物９の周囲に残存するシュリンクフィルム残部Ｂは、シュリンクフィルム３の一方側の開口縁３８ａから他方側の開口縁３８ｂまで分断されているので、フィルム残部Ｂを簡単に外して被包装物９を取り出すことができる。
【００４１】
このように被包装物９を台紙２及びシュリンクフィルム３から容易に取り出すことができる包装体１０を提供できる。
また、本実施形態の包装体１０も、包装フィルム９２の開口縁９２ａがシュリンクフィルム３の内面にて塞がれるように、被包装物９がシュリンクフィルム３に保持されているため、包装体１０の開封時に、包装フィルム９２の開口縁９２ａを摘む又は開口縁９２ａが引っ掛かることを防止できる。よって、包装フィルム９２を不用意に破くことなく、シュリンクフィルム３を分断し、被包装物９を容易に取り出すことができる。
【００４２】
［第３実施形態］
第３実施形態は、台紙に切り目が形成され且つ台紙にカバーが設けられている包装体に関する。
ただし、第３実施形態の説明において、上記第１実施形態及び第２実施携帯と同様の構成及び効果は、（その説明を行ったものとして）その説明を省略し、用語及び符号をそのまま援用する場合がある。
【００４３】
図１７及び図１８において、第３実施形態の包装体１０は、台紙２に接着部４を介して筒状のシュリンクフィルム３が接着されたシュリンクフィルム付き台紙１と、そのシュリンクフィルム付き台紙１のシュリンクフィルム３に保持された被包装物９と、シュリンクフィルム３に保持された被包装物９を外側から覆うカバー部７と、を有する。
シュリンクフィルム付き台紙１及び被包装物９は、上記第２実施形態と同様であるので、その具体的な説明は省略する。本実施形態では、台紙２の縁から摘み片２１が外側へ延出されている点を除いて、第２実施形態のシュリンクフィルム付き台紙１及び被包装物９と同様なものを示している。
【００４４】
カバー部７は、シュリンクフィルム３に保持された被包装物９の一部又は全部を覆う部分である。なお、前記シュリンクフィルム３に保持された被包装物９は、シュリンクフィルム３及び被包装物９からなる。以下、本実施形態において、シュリンクフィルム３で保持された被包装物９を、単に被包装物９という場合がある。図示例のカバー部７は、被包装物９の一部を覆っている。例えば、カバー部７は、被包装物９の下方部を覆っており、従って、被包装物９の上方部は露出している。かかるカバー部７は、一対の側壁部７１，７２（第１側壁部７１及び第２側壁部７２）と、底壁部７３と、正面壁部７４と、を有する。
第１側壁部７１は、台紙２の左縁に連結され、且つ、第２側壁部７２は、台紙２の右縁に連結されており、各側壁部７１，７２は、台紙２の表面に対して略直交状に立ち上げられている。
本実施形態においては、台紙２の左縁のうち、開封用切り目６１，６２で挟まれた部分は、外側に延出されている。この延出された部分は、包装体１０の外側に突出した摘み片２１である。
第１側壁部７１の面内には、差入れ穴７５が形成されている。この差入れ穴７５は、前記摘み片２１の表面に対応する位置に形成されている。従って、第１側壁部７１の縁と摘み片２１の表面との間には、差入れ穴７５が介在している。
底壁部７３は、台紙２の下縁に連結され、台紙２の表面に対して略直交状に立ち上げられている。底壁部７３には、下方に僅かに突出する複数の脚部７６が設けられている。正面壁部７４は、前記底壁部７３に連結され、台紙２の表面に対して略平行となるように、底壁部７３に対して略直交状に立ち上げられている。図１７に示すように、正面壁部７４は、被包装物９の下方部に重なっている。従って、被包装物９の上方部は、カバー部７の上方に突出している。正面壁部７４は、矩形状でもよいが、包装体１０の正面から被包装物９の視認可能な面積を大きくできることから、正面壁部７４は、図示のように、略中央部が切り欠かれた切欠き窓部７４ａを有する。
【００４５】
図１９は、本実施形態で使用されるシュリンクフィルム付き台紙の正面図である。
この台紙２の左縁には、第１糊代部７１１が連設され、台紙２の右縁には、第２糊代部７２１が連設されている。第１糊代部７１１の面内には、上下方向に延びる起点切り目６６が形成されている。この起点切り目６６は、摘み片２１を形成する。この起点切り目６６の両端部から２つの開封用切り目６１，６２がシュリンクフィルム３の軸方向に形成されている。また、台紙２の下縁には、底壁部７３が連設され、さらに、その底壁部７３には、正面壁部７４が連設されている。底壁部７３の面内には、横長Ｕ字状の切込み線７７が４箇所所定間隔を開けて形成されている。この切込み線７７で囲われた部分は、底壁部７３を立ち上げた際に底壁部７３の下方に突出し、脚部７６を構成する。正面壁部７４の左縁には、第１側壁部７１が連設され、正面壁部７４の右縁には、第２側壁部７２が連設されている。第１側壁部７１には、差入れ穴７５を形成するために、摘み片２１に対応する箇所に切欠き部７８が形成されている。第１糊代部７１１、第２糊代部７２１及び底壁部７３と台紙２の各境界、底壁部７３と正面壁部７４の境界、第１側壁部７１及び第２側壁部７２と正面壁部７４の各境界には、それぞれ直線状の折り罫線が形成されている。図１９において、前記折り罫線を細点線で表している。
【００４６】
このシュリンクフィルム付き台紙１のシュリンクフィルム３に被包装物９を保持させた後、図２０に示すように、第１糊代部７１１及び第２糊代部７２１を立ち上げる。第１糊代部７１１を立ち上げることにより、摘み片２１が外側に延出される。次に、底壁部７３を立ち上げ、正面壁部７４を被包装物９に被せた後、第１側壁部７１を第１糊代部７１１に接着剤などを介して接着し、且つ第２側壁部７２を第２糊代部７２１に接着剤などを介して接着する。このようにして、図１７及び図１８に示すような包装体１０が得られる。なお、接着された第１糊代部７１１は、概念上、第１側壁部７１に含まれ、接着された第２糊代部７２１は、概念上、第２側壁部７２に含まれる。
本実施形態の包装体１０は、摘み片２１を摘んで引き出すことにより、切り目６１，６２に沿って台紙２の帯状片Ｃが切り取られ、同時に、ミシン目線５１，５２に沿ってシュリンクフィルム３が分断される。従って、本実施形態の包装体１０も第２実施形態と同様に、台紙２の一部分を切り取り、被包装物９を台紙２及びシュリンクフィルム３から容易に取り出すことができる。
また、本実施形態の包装体１０も、その開封時に、包装フィルム９２が不用意に破れることを防止できる。
【００４７】
さらに、本実施形態の包装体１０は、シュリンクフィルム３で保持された被包装物９がカバー部７にて保護されているので、そのシュリンクフィルム３が異物に接触して不用意に破れることを防止できる。また、摘み片２１が台紙２から延出されているので、台紙２の摘み片２１を指で摘みやすくなる。さらに、カバー部７には、差入れ穴７５が形成されているので、その差入れ穴７５に指先を差し入れながら摘み片２１を摘むことができる。このため、摘み片２１をさらに指で摘み易くなっている。
【００４８】
［他の実施形態］
上記第１乃至第３実施形態において、シュリンクフィルム３に設けられる分断手段としてミシン目線５１，５２を例示しているが、分断手段はこれに限定されない。例えば、分断手段として、シュリンクフィルム３の面内にその軸方向に延びるハーフカット線を形成してもよく、或いは、シュリンクフィルム３の面内にその軸方向に延びる脆弱線を形成してもよい。前記ハーフカット線は、Ｖノッチ線のような、フィルムを完全に分断せず且つフィルムの厚み方向に切り込んだ切込み線である。前記脆弱線は、フィルムを完全に分断せず且つ熱処理などによってフィルムの一部分を他の部分よりも脆弱化した線状脆弱部である。
【００４９】
なお、本発明の包装体においては、シュリンクフィルム３に分断手段を必ずしも設けなければならないわけではなく、分断手段を有さないシュリンクフィルムを用いることも可能である。分断手段を有さないシュリンクフィルムを有する包装体は、例えば、シュリンクフィルムの開口縁と包装体の隙間にハサミなどの切断具を差し入れ、シュリンクフィルムを切断する、又は、前記隙間に指の爪を差し入れ、シュリンクフィルムを分断するなどの方法により、開封できる。この場合でも、ハサミや爪が包装フィルムの開口縁に引っ掛からないので、包装フィルムを破くおそれはない。もっとも、上記実施形態のように、シュリンクフィルム３に分断手段が設けられていれば、切断具を用いなくても、指で容易にシュリンクフィルム３を分断して包装体１０を開封できるので好ましい。
【００５０】
さらに、上記第１乃至第３実施形態のシュリンクフィルム３の内面及び／又は包装フィルム９２の外面に、滑り処理を施してもよい。滑り処理としては、シュリンクフィルム３の内面及び／又は包装フィルム９２の外面の一部又は全体に、メジウムインキ、オーバーコートニス、滑剤を含むインキなどをベタ状に塗工して滑り層を形成することが挙げられる。このようにシュリンクフィルム３及び包装フィルム９２の少なくとも一方に滑り性を付与することにより、包装体１０を製造する際、被包装物９をシュリンクフィルム３内に挿入し易くなる。
【００５１】
また、上記第１乃至第３実施形態において、軸方向が台紙２の左右方向となるように、シュリンクフィルム３が台紙２に配置されているが、これに限定されず、シュリンクフィルム３の軸方向が台紙２の上下方向となるようにシュリンクフィルム３が台紙２に配置されていてもよいし、或いは、軸方向が上下方向又は左右方向の何れかに対して鈍角となるようにシュリンクフィルム３が台紙２に配置されていてもよい。
その他、上記第１乃至第３実施形態で示した様々な態様を、適宜組み合わせることも可能である。
【符号の説明】
【００５２】
１０…包装体、１…シュリンクフィルム付き台紙、２…台紙、３…シュリンクフィルム、３８ａ…シュリンクフィルムの一方側の開口縁、３８ｂ…シュリンクフィルムの他方側の開口縁、４…接着部、４ａ…接着部の一端、５１，５２…ミシン目線（分断手段）、６１，６２…開封用切り目、９…被包装物、９１…物品、９２…包装フィルム、９２ａ…包装フィルムの一方側の開口縁、９２ｂ…包装フィルムの他方側の開口縁
【図１】
2015030511.tif 000003
【図２】
2015030511.tif 000004
【図３】
2015030511.tif 000005
【図４】
2015030511.tif 000006
【図５】
2015030511.tif 000007
【図６】
2015030511.tif 000008
【図７】
2015030511.tif 000009
【図８】
2015030511.tif 000010
【図９】
2015030511.tif 000011
【図１０】
2015030511.tif 000012
【図１１】
2015030511.tif 000013
【図１２】
2015030511.tif 000014
【図１３】
2015030511.tif 000015
【図１４】
2015030511.tif 000016
【図１５】
2015030511.tif 000017
【図１６】
2015030511.tif 000018
【図１７】
2015030511.tif 000019
【図１８】
2015030511.tif 000020
【図１９】
2015030511.tif 000021
【図２０】
2015030511.tif 000022